(57)【要約】      （修正有）【課題】モジュラーコンベヤベルトにおいて、ロッドを良好に保持し、容易な抜き取りも可能とする、ロッド保持システムを提供する【解決手段】モジュラーベルト３００は、ベルトモジュール３２０、ピボットロッド３５０、及びリンクキャップ３４０を、備えている。ベルトモジュール３２０は、中間セクション３２２と、外側リンク端部３２４と、対向リンク端部３３０と、を備えている。対向リンク端部３３０は、その中に画定された横開口を有している。外側リンク端部３２４は、その中に画定された横開口と、嵌合コネクタと、を有している。ピボットロッド３５０は、外側リンク端部３２４の横開口を通して配置されている。リンクキャップ３４０は、ピボットロッド３５０を保持するためのものであり、外側リンク端部３２４の嵌合コネクタ３２６と結合するように構成された対応コネクタ３４２を有している。【選択図】図１１Ａ
2019064833.tif 000002
【特許請求の範囲】
【請求項１】
モジュラーベルト（３００；３１０；４００；５００；６００）であって、
中間セクション（２２；７２；３２２）と外側リンク端部（２４；７４；１２４；３２４；６２４）と対向リンク端部（３０；８０；１３０；３３０；６３０）とを備えた、ベルトモジュール（２０；７０；１２０；２２０；２６０；３２０；６２０）と、
ピボットロッド（１００；１５０；２５０；３５０）と、
前記ピボットロッド（１００；１５０；２５０；３５０）を保持するためのリンクキャップ（４０；９０；１４０；２４０；３４０；５４０）と、
を備えており、
前記外側リンク端部（２４；７４；１２４；３２４；６２４）は、前記中間セクション（２２；７２；３２２）から、ベルトの進行方向に対して平行な第１方向に、延びており、その中に画定された横開口（２５；７５）と、嵌合コネクタ（２６；７６；１２６；３２６）と、を有しており、
前記対向リンク端部（３０；８０；１３０；３３０；６３０）は、前記中間セクション（２２；７２；３２２）から、前記第１方向とは反対の第２方向に、延びており、隣のモジュール（２０；７０；１２０；２２０；２６０；３２０；６２０）のリンク端部に噛み合うように構成されており、その中に画定された横開口（８２）を有しており、
前記ピボットロッドは、前記外側リンク端部（２４；７４；１２４；３２４；６２４）の前記横開口（２５；７５）を通して配置されており、
前記リンクキャップ（４０；９０；１４０；２４０；３４０；５４０）は、前記外側リンク端部（２４；７４；１２４；３２４；６２４）の前記嵌合コネクタ（２６；７６；１２６；３２６）と結合するように構成された対応コネクタ（４２；９２；１４２；２４２；３４２）を有している、
ことを特徴とするモジュラーベルト（３００；３１０；４００；５００；６００）。
【請求項２】
前記ベルトモジュール（２０；７０；１２０；２２０；２６０；３２０；６２０）が、前記中間セクション（２２；７２；３２２）から前記第１方向に延びている１つ以上の内側リンク端部（７８；１２８；２２８；３２８；６２８）を、更に備えており、前記１つ以上の内側リンク端部（７８；１２８；２２８；３２８；６２８）は、前記外側リンク端部（２４；７４；１２４；３２４；６２４）の前記横開口（２５；７５）と同軸の横開口（７９）を、有している、
請求項１記載のモジュラーベルト（３００；３１０；４００；５００；６００）。
【請求項３】
前記リンクキャップ（２４０）が、前記ピボットロッド（２５５）と同軸であるように構成された一体化ロッドレット（２５０）を、更に備えている、
請求項１又は２に記載のモジュラーベルト（３００；３１０；４００；５００；６００）。
【請求項４】
前記リンクキャップ（４０；９０；２４０；３４０；５４０）の前記対応コネクタ（４２；９２；２４２；３４２）が、プラグコネクタである、
請求項１〜３のいずれか一つに記載のモジュラーベルト（３００；３１０；５００；６００）。
【請求項５】
前記リンクキャップ（１４０）の前記対応コネクタ（１４２）が、バヨネットコネクタである、
請求項１〜３のいずれか一つに記載のモジュラーベルト（４００）。
【請求項６】
前記ピボットロッド（１００；１５０；３５０）が、棒径を有しており、
前記ピボットロッド（１００；１５０；３５０）が、前記棒径より大きなリング径を有する保持リング（１０２；１５２；３５２）を、更に備えている、
請求項１〜５のいずれか一つに記載のモジュラーベルト（３００；３１０；４００；５００；６００）。
【請求項７】
前記リンクキャップ（４０；９０；１４０；２４０；３４０；５４０）が、前記外側リンク端部（２４；７４；１２４；３２４；６２４）の前記横開口（２５；７５）と同軸の横開口（４１；９１；３４１）を、有しており、
前記リンクキャップ（４０；９０；１４０；２４０；３４０；５４０）の前記横開口（４１；９１；３４１）が、前記ピボットロッド（１００；１５０；２５０；３５０）の前記リング径より小さい径を、有している、
請求項１〜６のいずれか一つに記載のモジュラーベルト（３００；３１０；４００；５００；６００）。
【請求項８】
前記リンクキャップ（４０；９０；１４０；２４０；３４０；５４０）が、前記ピボットロッド（１００；１５０；２５０；３５０）に当接するように構成されている、
請求項１〜７のいずれか一つに記載のモジュラーベルト（３００；３１０；４００；５００；６００）。
【請求項９】
前記リンクキャップ（４０；９０；１４０；２４０；３４０；５４０）が、他のベルト構成物から前記リンクキャップ（４０；９０；１４０；２４０；３４０；５４０）を区別するためのインジケータ（９３）を、更に備えている、
請求項１〜８のいずれか一つに記載のモジュラーベルト（３００；３１０；４００；５００；６００）。
【請求項１０】
前記インジケータ（９３）が、浮き彫り表面デザインである、
請求項９記載のモジュラーベルト（３００；３１０；４００；５００；６００）。
【請求項１１】
前記インジケータ（９３）が、印刷デザインである、
請求項９記載のモジュラーベルト（３００；３１０；４００；５００；６００）。
【請求項１２】
前記リンクキャップ（４０；９０；１４０；２４０；３４０；５４０）が、他のベルト構成物の色とは異なる色を有している、
請求項１〜１１のいずれか一つに記載のモジュラーベルト（３００；３１０；４００；５００；６００）。
【請求項１３】
前記リンクキャップ（４０；９０；１４０；２４０；３４０；５４０）が、前記外側リンク端部（２４；７４；１２４；３２４；６２４）の断面形状と実質的に同じ断面形状を、有している、
請求項１〜１２のいずれか一つに記載のモジュラーベルト（３００；３１０；４００；５００；６００）。
【請求項１４】
前記外側リンク端部（２４；７４；１２４；３２４；６２４）が、前記対向リンク端部（３０；８０；１３０；３３０；６３０）の横幅より小さい横幅を、有している、
請求項１〜１３のいずれか一つに記載のモジュラーベルト（３００；３１０；４００；５００；６００）。
【請求項１５】
前記リンクキャップ（４０；９０；１４０；２４０；３４０；５４０）が前記外側リンク端部（２４；７４；１２４；３２４；６２４）に取り付けられると、前記リンクキャップ（４０；９０；１４０；２４０；３４０；５４０）と前記外側リンク端部（２４；７４；１２４；３２４；６２４）との全横幅が、前記対向リンク端部（３０；８０；１３０；３３０；６３０）の横幅と実質的に同じである、
請求項１〜１４のいずれか一つに記載のモジュラーベルト（３００；３１０；４００；５００；６００）。
【請求項１６】
前記ベルトモジュール（２０；７０；１２０；２２０；２６０；３２０；６２０）が、複数の内側リンク端部（７８；１２８；２２８；３２８；６２８）と、複数の前記対向リンク端部（３０；８０；１３０；３３０；６３０）と、を備えている、
請求項２〜１５のいずれか一つに記載のモジュラーベルト（３００；３１０；４００；５００；６００）。
【請求項１７】
ベルトモジュールシステム（１０；６０）であって、
中間セクション（２２；７２；３２２）と外側リンク端部（２４；７４；１２４；３２４；６２４）と対向リンク端部（３０；８０；１３０；３３０；６３０）とを備えた、端部モジュール（２０；７０；１２０；２２０；３２０；６２０）と、
ピボットロッド（１００；１５０；２５０；３５０）が組み込まれた時に前記ピボットロッド（１００；１５０；２５０；３５０）が移動するのを防止するためのリンクキャップ（４０；９０；１４０；２４０；３４０；５４０）と、
を備えており、
前記外側リンク端部（２４；７４；１２４；３２４；６２４）は、前記中間セクション（２２；７２；３２２）から、ベルトの進行方向に対して平行な第１方向に、延びており、その中に画定された横開口（２５；７５）と、嵌合コネクタ（２６；７６；１２６；３２６）と、を有しており、
前記対向リンク端部（３０；８０；１３０；３３０；６３０）は、前記中間セクション（２２；７２；３２２）から、前記第１方向とは反対の第２方向に、延びており、隣のモジュール（２０；７０；１２０；２２０；２６０；３２０；６２０）のリンク端部に噛み合うように構成されており、その中に画定された横開口（８２）を有しており、
前記リンクキャップ（４０；９０；１４０；２４０；３４０；５４０）は、前記外側リンク端部（２４；７４；１２４；３２４；６２４）の前記嵌合コネクタ（２６；７６；１２６；３２６）と結合するように構成された対応コネクタ（４２；９２；１４２；２４２；３４２）を有している、
ことを特徴とするベルトモジュールシステム（１０；６０）。
【請求項１８】
前記端部モジュール（２０；７０；１２０；２２０；３２０；６２０）が、前記中間セクション（２２；７２；３２２）から前記第１方向に延びている１つ以上の内側リンク端部（７８；１２８；２２８；３２８；６２８）と、前記外側リンク端部（２４；７４；１２４；３２４；６２４）の前記横開口（２５；７５）と同軸の横開口（７９）を有する１つ以上の内側リンク端部（７８；１２８；２２８；３２８；６２８）と、を更に備えている、
請求項１７記載のベルトモジュールシステム（１０；６０）。
【請求項１９】
前記リンクキャップ（２４０）は、前記リンクキャップ（２４０）が前記外側リンク端部（２４；７４；１２４；３２４；６２４）に取り付けられる場合に前記外側リンク端部（２４；７４；１２４；３２４；６２４）の前記横開口（２５；７５）を通して配置されるように構成された、一体化ロッドレット（２５０）を、更に備えている、
請求項１７又は１８に記載のベルトモジュールシステム（１０；６０）。
【請求項２０】
前記リンクキャップ（１４０）の前記対応コネクタ（１４２）が、バヨネットコネクタである、
請求項１７〜１９のいずれか一つに記載のベルトモジュールシステム（１０；６０）。
【請求項２１】
前記リンクキャップ（４０；９０；２４０；３４０；５４０）の前記対応コネクタ（４２；９２；２４２；３４２）が、プッシュ式コネクタである、
請求項１７〜１９のいずれか一つに記載のベルトモジュールシステム（１０；６０）。
【請求項２２】
前記リンクキャップ（４０；９０；１４０；２４０；３４０；５４０）が、前記外側リンク端部（２４；７４；１２４；３２４；６２４）の前記横開口（２５；７５）と同軸の横開口（４１；９１；３４１）を、有しており、前記リンクキャップ（４０；９０；１４０；２４０；３４０；５４０）の前記横開口（４１；９１；３４１）が、ピボットロッド（１００；１５０；３５０）の保持リング（１０２；１５２；３５２）と協働して前記ピボットロッド（１００；１５０；３５０）を保持するように構成されている、
請求項１７〜２１のいずれか一つに記載のベルトモジュールシステム（１０；６０）。
【請求項２３】
前記リンクキャップ（４０；９０；１４０；２４０；３４０；５４０）が、組み込まれた場合にピボットロッド（１００；１５０；２５０；３５０）に当接するように構成されている、
請求項１７〜２２のいずれか一つに記載のベルトモジュールシステム（１０；６０）。
【請求項２４】
前記リンクキャップ（４０；９０；１４０；２４０；３４０；５４０）が、他のベルト構成物から前記リンクキャップ（４０；９０；１４０；２４０；３４０；５４０）を区別するためのインジケータ（９３）を、更に備えている、
請求項１７〜２３のいずれか一つに記載のベルトモジュールシステム（１０；６０）。
【請求項２５】
前記インジケータ（９３）が、浮き彫り表面デザインである、
請求項２４記載のベルトモジュールシステム（１０；６０）。
【請求項２６】
前記インジケータ（９３）が、印刷デザインである、
請求項２４記載のベルトモジュールシステム（１０；６０）。
【請求項２７】
前記リンクキャップ（４０；９０；１４０；２４０；３４０；５４０）が、前記端部モジュール（２０；７０；１２０；２２０；３２０；６２０）の色とは異なる色を有している、
請求項１７〜２６のいずれか一つに記載のベルトモジュールシステム（１０；６０）。
【請求項２８】
前記リンクキャップ（４０；９０；１４０；２４０；３４０；５４０）が、前記外側リンク端部（２４；７４；１２４；３２４；６２４）の断面形状と実質的に同じ断面形状を、有している、
請求項１７〜２７のいずれか一つに記載のベルトモジュールシステム（１０；６０）。
【請求項２９】
前記外側リンク端部（２４；７４；１２４；３２４；６２４）が、前記対向リンク端部（３０；８０；１３０；３３０；６３０）の横幅より小さい横幅を、有している、
請求項１７〜２８のいずれか一つに記載のベルトモジュールシステム（１０；６０）。
【請求項３０】
前記リンクキャップ（４０；９０；１４０；２４０；３４０；５４０）が前記外側リンク端部（２４；７４；１２４；３２４；６２４）に取り付けられた場合、前記リンクキャップ（４０；９０；１４０；２４０；３４０；５４０）と前記外側リンク端部（２４；７４；１２４；３２４；６２４）との全横幅が、前記対向リンク端部（３０；８０；１３０；３３０；６３０）の横幅と実質的に同じである、
請求項２９記載のベルトモジュールシステム（１０；６０）。
【請求項３１】
中間セクションと、前記中間セクションから前記第１方向に延びている多数の第１リンク端部と、前記中間セクションから前記第２方向に延びている多数の第２リンク端部と、を備えた、中央モジュール（２６０）を、更に備えており、
前記第１リンク端部の各々は、前記中央モジュール（２６０）が前記端部モジュール（２２０）に当接した場合に前記外側リンク端部の前記横開口と整列するように構成された横開口を、有しており、
前記多数の第２リンク端部は、隣のモジュールの前記多数の第１リンク端部と噛み合うように構成されており、前記第２リンク端部の各々は、横開口を有しており、前記中央モジュールが前記端部モジュール（２２０）に当接した場合に前記対向リンク端部の前記横開口と整列するように構成されている、
請求項１７〜３０のいずれか一つに記載のベルトモジュールシステム（１０；６０）。
【請求項３２】
前記端部モジュールが、複数の前記内側リンク端部（７８；１２８；２２８；３２８；６２８）と、複数の前記対向リンク端部（３０；８０；１３０；３３０；６３０）と、を備えている、
請求項１８〜３１のいずれか一つに記載のベルトモジュールシステム（１０；６０）。
【請求項３３】
モジュラーベルト（３００；３１０；４００；５００；６００）の組立方法であって、
ピボットロッド（１００；１５０；２５０；３５０）をリンクキャップ（４０；９０；１４０；２４０；３４０；５４０）に挿入してリンクキャップアッセンブリを形成するステップと、
前記リンクキャップアッセンブリの前記ピボットロッド（１００；１５０；２５０；３５０）を、２つの隣接するベルトモジュール（２０；７０；１２０；２２０；２６０；３２０；６２０）の噛み合ったリンク端部の横開口に、通す、ステップと、
前記リンクキャップアッセンブリを前記モジュール列の前記端部モジュール（２０；７０；１２０；２２０；２６０；３２０；６２０）に取り付けるステップと、
を備えていることを特徴とするモジュラーベルト（３００；３１０；４００；５００；６００）の組立方法。
【発明の詳細な説明】
【技術分野】
【０００１】
本発明は、鎖で繋がれ且つ煉瓦敷設されたモジュラーコンベヤベルトを含む、モジュラーベルトに、関する。
【背景技術】
【０００２】
モジュラープラスチックベルトは、鎖（ベルトの各列に１つのベルトモジュール）として、又は、煉瓦敷設ベルト（１つ以上の列に複数のベルトモジュールを有している）として、構成されている。ベルトモジュールは、モジュールを隣接する列のモジュールにヒンジ結合する、ピボットロッド用の穴を有する介在リンク端部を、有している。設備(provisions)を保持するピボットロッドは、ロッドがベルトから外れるのを避けるために必要である。
【先行技術文献】
【特許文献】
【０００３】
【特許文献１】ＵＳ５６４５１６０Ａ
【特許文献２】ＵＳ７１０８１２７Ｂ２
【発明の概要】
【発明が解決しようとする課題】
【０００４】
多くの最新のモジュラーコンベヤベルトは、小さいベルトピッチを有しており、それは、多くの場合、０．５インチ（約１．２７ｃｍ）以下である。この小さいベルトピッチに因り、クリップ又はロックのようなロッド保持システムに使用可能な、極めて僅かなスペースが存在するだけである。可能な解決策が、ＵＳ５６４５１６０Ａ及びＵＳ７１０８１２７Ｂ２のような従来技術において知られている。これらの場合では、ロッド端部が、保持リングを備えており、圧入によって、又は、リンク面に対するリングの当接によって、最外リンクに係合する。これらの解決策は、小さいピッチベルトでロッドを保持することの問題を解決するが、分解のためのロッドの抜き取りが困難なままである。これは、ベルトの、クリーニング、メンテナンス、又は修理にとって、特に重要である。それ故、ロッドを良好に保持するが容易な抜き取りも可能とする、ロッド保持システムが、必要である。
【課題を解決するための手段】
【０００５】
本発明は、独立請求項１のモジュラーベルト、独立請求項１７のベルトモジュールシステム、及び独立請求項３３のモジュラーベルトの組立方法を、提供することによって、上述の必要性を満たす。好ましい実施形態は、従属請求項から現れる。
【０００６】
本明細書は、ＵＳ５６４５１６０Ａに開示されているのと同様のロッド保持システムを用いるが、容易な分解のための特殊な端部モジュールを含む、ベルト（鎖又は煉瓦敷設）を、示している。端部モジュールの外側リンク端部は、より狭いように変えられ、接続構造を備えている。別個のキャップ部品が作られ、それは、外側結合部品の幅がベルトの他のリンク端部と実質的に同じであるように、端部モジュールの外側リンク端部に接続するのに適した、対応する接続構造を、提供している。リンクキャップは、ピボットロッドで組立を可能とする開口を、備えており、幾つかの実施形態では、リンクキャップは、以前から知られているロッド保持構造を提供する。
【０００７】
本明細書は、モジュラーベルトの組立方法を示しており、その方法では、ピボットロッドは、アッセンブリが端部モジュールに取り付けられる前に、リンクキャップ内に挿入される。リンクキャップは、モジュールの分解のための、ピボットロッドの容易な握りとより便利な除去とを、提供する。
【０００８】
他の実施形態では、リンクキャップは、より便利な組立のための、一体化ロッドレットを、備えている。
【０００９】
開示されたベルトモジュールシステムは、ベルトを組み立てるために１列で使用できる。他の実施形態では、ベルトモジュールシステムは、ベルトのあらゆる列に、又は、ベルトの多くの列に、組み込まれる。更には、ベルトモジュールシステムは、モジュール列の片側又は両側に組み込まれる。
【図面の簡単な説明】
【００１０】
【図１Ａ】本発明の一実施形態のベルトモジュールシステムの上面図である。
【図１Ｂ】図１Ａのベルトモジュールシステムの斜視図である。
【図１Ｃ】リンクキャップが端部モジュールに取り付けられていない、図１Ａ、１Ｂのベルトモジュールシステムの斜視図である。
【図２】図１Ａ〜１Ｃのベルトモジュールシステムが組み込まれたベルト部分の斜視図である。
【図３Ａ】本発明の他の実施形態のベルトモジュールシステムの上面図である。
【図３Ｂ】端部モジュールに取り付けられたリンクキャップを備えた図３Ａのベルトモジュールシステムの上面図である。
【図３Ｃ】図３Ｂのベルトモジュールの斜視図である。
【図３Ｄ】図３Ａのベルトモジュールの斜視図である。
【図３Ｅ】図３Ｂ、３Ｃのベルトモジュールの別の斜視図である。
【図３Ｆ】図３Ａ、３Ｄのベルトモジュールの別の斜視図である。
【図４Ａ】本発明の別の実施形態のピボットロッド及びリンクキャップの上面図である。
【図４Ｂ】図４Ａの組み立てられたピボットロッド及びリンクキャップとベルトモジュールとの上面図である。
【図５Ａ】図４Ａのピボットロッド及びリンクキャップの斜視図である。
【図５Ｂ】組み立てられたピボットロッド及びリンクキャップと図４Ｂのベルトモジュールとの斜視図である。
【図６Ａ】リンクキャップがバヨネット型コネクタを有している、本発明の別の実施形態のピボットロッド及びリンクキャップの、上面図である。
【図６Ｂ】端部モジュールと図６Ａの組み立てられたピボットロッド及びリンクキャップとの上面図である。
【図７Ａ】図６Ａのピボットロッド及びリンクキャップの斜視図である。
【図７Ｂ】端部モジュールと図６Ｂの組み立てられたピボットロッド及びリンクキャップとの斜視図である。
【図７Ｃ】リンクキャップがバヨネットコネクタを有している、組み立てられたピボットロッド及びリンクキャップとベルトモジュールのアッセンブリとの、斜視図である。
【図８Ａ】本発明の別の実施形態の、一体化ロッドレットを有するリンクキャップの、端面図である。
【図８Ｂ】図８Ａのリンクキャップの別の端面図である。
【図８Ｃ】図８Ａ、８Ｂのリンクキャップの斜視図である。
【図９】ロッドレットと浮動ロッドとの接合部分を示す、組み立てられたモジュールの２列の詳細の部分斜視図である。
【図１０Ａ】図１Ａのリンクキャップの端面図である。
【図１０Ｂ】図１Ａの端部モジュールの端面図である。
【図１０Ｃ】図１０Ａ、１０Ｂのリンクキャップ及び端部モジュールの端面図である。
【図１１Ａ】組立前の本発明の実施形態のベルトの部分の斜視図である。
【図１１Ｂ】組立中の図１１Ａのベルト部分の斜視図である。
【図１２Ａ】図１１Ａのベルト部分の上面図である。
【図１２Ｂ】図１１Ｂのベルト部分の上面図である。
【図１３Ａ】図１１Ａ、１２Ａのベルト部分の底面図である。
【図１３Ｂ】図１１Ｂ、１２Ｂのベルト部分の底面図である。
【図１４】図１１Ａ〜１３Ｂの組み立てられたベルト部分の上面図である。
【図１５】本発明の別の実施形態のベルトの部分の斜視図である。
【図１６】本発明の別の実施形態のベルトの部分の上面図である。
【図１７】本発明の別の実施形態のベルトの部分の上面図である。
【図１８】本発明の別の実施形態の方法を示すフローチャートである。
【発明を実施するための形態】
【００１１】
本発明の本質及び目的をより十分に理解するために、添付図面と共に以下の詳細な説明が参照される。
【００１２】
図１Ａ〜１Ｃを参照して、本発明は、コンベヤベルトのようなモジュラーベルトと共に使用するためのベルトモジュールシステム１０として、具体化されている。システム１０は、中間セクション２２を有する端部モジュール２０を、備えている。外側リンク端部２４は、中間セクション２２から第１方向に延びており、第１方向は、ベルト進行の方向（縦方向）と平行である。外側リンク端部２４は、嵌合コネクタ２６を有しており、更に、下記のとおりである。外側リンク端部２４は、その幅を通る横開口２５（図１０Ｂ参照）を、有しており、横開口２５は、ベルトを形成するためにモジュールを結合するピボットロッドに、適している。
【００１３】
幾つかの実施形態、例えば図３Ａ〜３Ｆに示されている実施形態では、端部モジュール７０は、中間セクション２２から外側リンク端部２４と同じ方向すなわち第１方向に延びている内側リンク端部７８を、備えている。内側リンク端部７８は、その幅を通る横開口７９を有しており、内側リンク端部７８の横開口７９は、外側リンク端部２４の横開口７５と同軸上に整列している。
【００１４】
端部モジュール７０は、中間セクション７２から第２方向に延びている対向リンク端部８０を、有している。第２方向は、ベルト進行の方向と平行であるが、第１方向とは反対である。対向リンク端部８０は、隣のモジュールのリンク端部と互いに噛み合う（インターカレートする）ように構成されている。例えば、端部モジュール７０は、対向リンク端部８０が隣の端部モジュールの外側リンク端部と内側リンク端部との間で噛み合うように、ベルトに組み込まれている。他のベルトでは、端部モジュール７０は、対向モジュールが別のタイプのモジュールのリンク端部の間で噛み合うように、ベルトに組み込まれている。
【００１５】
対向リンク端部８０は、その幅を通って延びている横開口８２を有している。横開口８２は、噛み合ったリンク端部のいずれの横開口とも、同軸上に整列するように構成されている。同軸整列は、横開口を円形に限定するように見るべきではなく、ピボットロッドが噛み合ったリンク端部の開口を通して組み込まれることを述べているように広く解釈すべきである。このようにして、モジュールは、ベルトを形成するように相互連結される。
【００１６】
ベルトモジュールシステム６０は、更に、端部モジュール７０の外側リンク端部７４に取り付けられるように構成されたリンクキャップ９０を、備えている。リンクキャップ９０は、ロッドが外側及び内側リンク端部７４、７８の横開口７５、７９を通して組み込まれる時に、ピボットロッドを保持するように使用される。リンクキャップ９０は、外側リンク端部７４の嵌合コネクタ７６と結合するように構成された対応コネクタ９２を、有している。幾つかの実施形態では、嵌合コネクタ７６は、「雌」型コネクタであり、リンクキャップ９０の対応コネクタ９２は、「雄」型コネクタである。コネクタ７６、９２は、図１Ａ〜１Ｃに示されるように、圧入（時々、スナップ式と称する）で係合する。図６Ａ、６Ｂ、７Ａ〜７Ｃに示されている別の実施形態では、コネクタ１２６、１４２は、バヨネット接続で係合しており、それにおいて、リンクキャップ１４０及びその対応コネクタ１４２は、コネクタ１２６、１４２の完全係合のために端部モジュール１２０に対して回転しなければならない。
【００１７】
ベルトモジュールシステム６０は、更に、端部モジュール７０の外側及び内側リンク端部７４、７８の横開口を通って配置されるように構成されたピボットロッド１００（図４Ａ、４Ｂ、５Ａ、５Ｂ）を、備えている。リンクキャップ９０は、ピボットロッド１００を保持するように構成されている。幾つかの実施形態では、ピボットロッド１００は、ピボットロッド１００の径Ｄｒｏｄより大きい径Ｄｒｉｎｇを有する保持リング１０２を、有しており、リンクキャップ９０は、従来技術において知られているように、保持リング１０２と協働して、組み込み時のピボットロッド１００のその位置からの移動を防止するように、構成されている（例えば、保持リング１０２が除去力によって付勢されるまで捕らわれている、リンクキャップ９０のリングスロットで）。そのような実施形態では、リンクキャップ９０は、外側及び内側リンク端部７４、７８の横開口７５、７９と同軸である横開口９１を、有するように構成されている。保持リング１０２がリンクキャップ９０と係合する時にピボットロッド１００が力によって組み込み位置に付勢されなければならないように、リンクキャップ９０の横開口９１は、ピボットロッド１００の保持リングとのタイトフィット（すなわち、締まりばめ）を提供する径を、有している。
【００１８】
別の実施形態では、リンクキャップ９０は、ピボットロッド１００の、その位置からリンクキャップ９０の方向への動きを、単にブロックする。例えば、幾つかの実施形態では、リンクキャップ９０は、リンクキャップ９０がピボットロッド１００の当接部として機能するように、横開口９１を有していない。リンクキャップ９０は、ピボットロッド１００がリンクキャップ９０を過ぎてベルトから移動するのを防止するために、他のタイプの当接部を有してもよい。別の実施形態では、リンクキャップ９０は、リンクキャップ９０の全幅に広がらないが代わりにリンクキャップ９０の途中までのみ広がる、横開口を有し、それによって、ピボットロッド１００が存在できるポケットを作る。そのような実施形態では、ベルトに組み込まれた時、ピボットロッド１００が軸方向のどちらへも動くのを防止するために、リンクキャップ９０をベルトの各側に提供する、という利点を有する。
【００１９】
図８Ａ〜８Ｃに示されるような他の実施形態では、リンクキャップ２４０は、一体化ロッドレット２５０を備えている。例えば、リンクキャップ２４０は、ロッドレット２５０を含むように成形される。ロッドレット２５０は、（ロッドレットが一旦組み込まれた長さまでトリミングされるように）完成ベルトの横方向幅と同じかそれより長い、適切な長さのものである。幾つかの実施形態では、ロッドレット２５０は、特定のベルトの全幅より短い。そのような実施形態では、ロッドレット２５０は、浮動ロッド２５５（「浮動体」）をベルト内の適切な位置に保持するように機能する。図９は、ベルトの１つのモジュール列を示し、それにおいては、ロッドレット２５０は、端部モジュール２２０の内側リンク端部２２８内の一点２６１で浮動体２５５と相互作用するのが、見える。ロッドレット２５０は、浮動体２５５との相互作用がベルトの幅を横切った所望の位置で生じるような長さを有するような、大きさにできる。
【００２０】
端部モジュール７０をベルトの横側（縁）に位置させることは（必要とされないが）有益であると思われるので、端部モジュール７０はそのように呼ばれる。そのような構成では、「外側」リンク端部７４は、ベルトの縁の最も近くに配置される。ベルトモジュールシステム６０は、更に、中間セクションを有するセンターモジュール２６０と、中間セクションから第１方向に延びている多数の第１リンク端部と、を備えている。センターモジュール２６０は、また、第２方向へ延びており且つ多数の第１リンク端部と互いに噛み合うように構成された、多数の第２リンク端部を、含んでいる。横開口は、ピボットロッド２５５が噛み合ったリンク端部を連結させるように、リンク端部に位置している。複数のセンターモジュール２６０を使用でき、広いベルトは、多くの煉瓦敷設モジュールである。
【００２１】
他の実施形態では、端部モジュール６２０は、複数の内側リンク端部と複数の対向リンク端部とを備えている（図１７参照）。このように、ベルトは、煉瓦敷設構成のためのセンターモジュールを必要とすることなく、端部モジュール６２０を互いに噛み合わせることによって、構成される。この構成は、しばしば、チェーンと呼ばれる。
【００２２】
リンクキャップ４０は、外側リンク端部２４の断面形状と実質的に同じ断面形状（リンクキャップの縦軸に沿って、すなわちベルトの幅を横切って、見た場合）を有している。これは、外側リンク端部２４と中間セクション２２との結合断面形状とみなされるが、単に便宜のためであり、限定されるものではなく、外側リンク端部２４について参照される。例えば、図１０Ａでは、リンクキャップ４０の断面は、ベルトモジュール２０の外側リンク端部２４の断面形状と実質的に同じ形状（略円周）を、有している、とわかる（図１０Ｂ参照）。この関連では、作用によって限定されるだけであるように、実質的に広く解釈される。例えば、ここに記載されており、例えば図１０Ａ〜１０Ｃに示されている、例示の実施形態では、リンクキャップ４０は、外側リンク端部２４の頂面とは合致しないその頂面に、浮き彫りロゴマークを備えている。これは、特定のベルトが構成される用途に依存して、実質的に同じ断面形状の範囲内で、検討される。
【００２３】
リンクキャップ９０は、更に、リンクキャップ９０を有するベルトモジュールを従来のベルトモジュールから区別するためのインジケータ９３を、備えている。このように、ベルトで作業する必要のある人材は、ベルトを分解するために使用されるリンクキャップを、より容易に確認できる。インジケータ９３は、例えば外観、質感等に基づいて目立っている。インジケータ９３は、エンボス表面、浮き彫り表面、塗装表面（例えば、シルクスクリーン、印刷等）、異色部分、オーバーモールド部分、挿入物、又は、他のタイプの印し、又は、異なる印しの組み合わせでもよい。例えば、図に示されている実施形態では、インジケータ９３は、ベルト製作者の浮き彫りロゴマークを備えており、それは、リンクキャップ９０と共に成形されている。
【００２４】
図１Ａに示されている実施形態のような幾つかの実施形態では、外側リンク端部２４は、対向リンク端部３０の横方向幅ＷOppより小さい横方向幅ＷOLEを、有している。リンクキャップ４０は、リンクキャップ４０が外側リンク端部２４に取り付けられると、結合幅ＷCombinedがＷOppと実質的に同じであるように、幅ＷLCを有するように構成される。ＷCombinedは、適切な幅であるように選択される。
【００２５】
本明細書では、上述したようにベルトモジュールシステムを有するモジュラーベルト３００が、具現化されている（図１１Ａ〜１７又は図２のベルト３１０）。このように、モジュラーベルト３００は、中間セクション３２２を有するベルトモジュール３２０を、備えている。外側リンク端部３２４は、中間セクション３２２から第１方向に延びており、第１方向は、ベルト３００の進行方向（縦方向）と平行である。外側リンク端部３２４は、嵌合コネクタ３２６を有している。幾つかの実施形態では、内側リンク端部３２８は、中間セクション２２から、外側リンク端部３２４と同じ方向すなわち第１方向に、延びている。外側リンク端部３２４及び内側リンク端部３２８は、それぞれ、ピボットロッドのための、リンク端部３２４、３２８の幅を通る横開口を、備えている。そのようなものとして、横開口は、互いに同軸上に整列している。
【００２６】
ベルトモジュール３２０は、中間セクション３２２から第２方向に延びている対向リンク端部３３０を、有している。第２方向は、ベルト３００の進行方向と平行であるが、第１方向とは逆である。対向リンク端部３３０は、隣のモジュールのリンク端部と互いに噛み合う（インターカレートする）ように構成されている。例えば、図１７は、ベルト６００の典型例の実施形態を示しており、それにおいて、ベルトモジュール６２０は、対向リンク端部６３０が隣のベルトモジュール６２０の外側リンク端部６２４と内側リンク端部６２８との間で噛み合うように、ベルト６００に組み込まれている。他のベルトでは、端部モジュールは、対向モジュールが別のタイプのモジュールのリンク端部の間で噛み合うように、ベルトに組み込まれる（例えば図１５、１６参照）。
【００２７】
対向リンク端部３３０は、その幅を通して延びている横開口を、有している。横開口は、噛み合ったリンク端部の横開口と同軸に整列するように構成されている。同軸整列は、横開口を円形に限定するようにみなされるべきではなく、噛み合ったリンク端部の開口を通ってピボットロッドが組み込まれることを述べているように広く解釈されるべきである。
【００２８】
ベルト３００は、更に、ベルトモジュール３２０の外側及び内側リンク端部３２４、３２８の横開口を通して配置されるように構成されたピボットロッド３５０を、備えている。ベルト３００は、更に、ベルトモジュール３２０の外側リンク端部３２４に取り付けられるように構成されたリンクキャップ３４０を、備えている。リンクキャップ３４０は、外側及び内側リンク端部３２４、３２８の横開口を通してロッド３５０を適切な位置に保持するように、使用される。リンクキャップ３４０は、外側リンク端部３２４の嵌合コネクタ３２６と結合するよう構成された対応コネクタ３４２を、有している。幾つかの実施形態では、嵌合コネクタ３２６は「雌」型コネクタであり、リンクキャップ３４０の対応コネクタ３４２は「雄」型コネクタである。コネクタ３２６、３４２は、図１６、１７に示されるように、圧入（時々スナップ方式と言われる）で係合する。他の実施形態では、図１５で示されるベルト４００のように、コネクタは、（図６Ａ、６Ｂ、７Ａ〜７Ｃに示されたコネクタのように）バヨネット接続で係合し、それにおいては、リンクキャップとその対応コネクタは、コネクタの全係合のために、端部モジュールに対して回転しなければならない。
【００２９】
幾つかの実施形態では、ピボットロッド３５０は、ピボットロッド３５０の径Ｄrodより大きい径Ｄringを有する保持リング３５２を、有しており、リンクキャップ３４０は、従来技術（例えば、リンクキャップ３４０のリングスロット３４４を備えており、保持リング３５２は、除去力によって付勢されるまで捕らえられている。図１３Ａ参照。）で知られているように、ピボットロッド３５０が組み込まれた時の位置から移動するのを防止するために保持リング３５２と協働するよう、構成されている。幾つかの実施形態では、リンクキャップ３４０は、外側及び内側リンク端部３２４、３２８の横開口と同軸である横開口（図１１Ａ参照）を有するように、構成されている。他の実施形態では、リンクキャップ３４０は、ピボットロッド３５０の、その位置からリンクキャップ３４０の方向への移動を、単に阻止する。ベルト５００のそのような実施形態では、ピボットロッドが軸方向のいずれにも移動するのを防止するために、ベルト５００の各側にリンクキャップ５００を提供する、という利点がある（図１６参照）。
【００３０】
ベルトモジュール６２０は、モジュールを煉瓦積みするよりはベルトモジュール６２０を鎖で繋いでベルト６００が作られるように、複数の内側リンク端部６２８と複数の対向リンク端部６３０とを有している（図１７参照）。
【００３１】
本発明は、リンクキャップ内へピボットロッドを挿入するステップ９０３を備えたモジュラーコンベヤベルトの組立方法９００を、具現化している（図１８参照）。方法９００は、更に、２つの隣のベルトモジュールの噛み合ったリンク端部の横開口を通してピボットロッドを結合する（lace）ステップ９０６を、備えている。そして、リンクキャップ及びピボットロッドは、モジュール列の端部モジュールに固定される（ステップ９０９）。方法９００におけるステップの順番は、固定されてはいない。例えば、モジュラーコンベヤベルトは、モジュール列の端部モジュールにリンクキャップを取り付け（ステップ９０９）、次いで、噛み合ったリンク端部の横開口を通してピボットロッドを結合し（ステップ９０６）、そして、リンクキャップ内にピボットロッドを固定する（ステップ９０３）ことによって、組み立てられる。
【００３２】
本発明は１つ以上の特定の実施形態に関して説明されているが、本発明の他の実施形態が本発明の精神及び範囲から逸脱することなく成されることは、明らかである。したがって、本発明は、添付の請求項及びその合理的解釈によってのみ限定されるとみなされる。
【図１Ａ】
2019064833.tif 000003
【図１Ｂ】
2019064833.tif 000004
【図１Ｃ】
2019064833.tif 000005
【図２】
2019064833.tif 000006
【図３Ａ】
2019064833.tif 000007
【図３Ｂ】
2019064833.tif 000008
【図３Ｃ】
2019064833.tif 000009
【図３Ｄ】
2019064833.tif 000010
【図３Ｅ】
2019064833.tif 000011
【図３Ｆ】
2019064833.tif 000012
【図４Ａ】
2019064833.tif 000013
【図４Ｂ】
2019064833.tif 000014
【図５Ａ】
2019064833.tif 000015
【図５Ｂ】
2019064833.tif 000016
【図６Ａ】
2019064833.tif 000017
【図６Ｂ】
2019064833.tif 000018
【図７Ａ】
2019064833.tif 000019
【図７Ｂ】
2019064833.tif 000020
【図７Ｃ】
2019064833.tif 000021
【図８Ａ】
2019064833.tif 000022
【図８Ｂ】
2019064833.tif 000023
【図８Ｃ】
2019064833.tif 000024
【図９】
2019064833.tif 000025
【図１０Ａ】
2019064833.tif 000026
【図１０Ｂ】
2019064833.tif 000027
【図１０Ｃ】
2019064833.tif 000028
【図１１Ａ】
2019064833.tif 000029
【図１１Ｂ】
2019064833.tif 000030
【図１２Ａ】
2019064833.tif 000031
【図１２Ｂ】
2019064833.tif 000032
【図１３Ａ】
2019064833.tif 000033
【図１３Ｂ】
2019064833.tif 000034
【図１４】
2019064833.tif 000035
【図１５】
2019064833.tif 000036
【図１６】
2019064833.tif 000037
【図１７】
2019064833.tif 000038
【図１８】
2019064833.tif 000039
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
モジュラーベルト（３００；３１０；４００；５００；６００）であって、
中間セクション（２２；７２；３２２）と外側リンク端部（２４；７４；１２４；３２４；６２４）と対向リンク端部（３０；８０；１３０；３３０；６３０）とを備えた、ベルトモジュール（２０；７０；１２０；２２０；２６０；３２０；６２０）と、
ピボットロッド（１００；１５０；２５０；３５０）と、
前記ピボットロッド（１００；１５０；２５０；３５０）を保持するためのリンクキャップ（４０；９０；１４０；２４０；３４０；５４０）と、
を備えており、
前記外側リンク端部（２４；７４；１２４；３２４；６２４）は、前記中間セクション（２２；７２；３２２）から、ベルトの進行方向に対して平行な第１方向に、延びており、その中に画定された横開口（２５；７５）と、嵌合コネクタ（２６；７６；１２６；３２６）と、を有しており、
前記対向リンク端部（３０；８０；１３０；３３０；６３０）は、前記中間セクション（２２；７２；３２２）から、前記第１方向とは反対の第２方向に、延びており、隣のモジュール（２０；７０；１２０；２２０；２６０；３２０；６２０）のリンク端部に噛み合うように構成されており、その中に画定された横開口（８２）を有しており、
前記ピボットロッドは、前記外側リンク端部（２４；７４；１２４；３２４；６２４）の前記横開口（２５；７５）を通して配置されており、
前記リンクキャップ（４０；９０；１４０；２４０；３４０；５４０）は、前記外側リンク端部（２４；７４；１２４；３２４；６２４）の前記嵌合コネクタ（２６；７６；１２６；３２６）と結合するように構成された対応コネクタ（４２；９２；１４２；２４２；３４２）を有しており、
前記リンクキャップ（４０；９０；１４０；２４０；３４０；５４０）が前記外側リンク端部（２４；７４；１２４；３２４；６２４）に取り付けられると、前記リンクキャップ（４０；９０；１４０；２４０；３４０；５４０）と前記外側リンク端部（２４；７４；１２４；３２４；６２４）との全横幅が、前記対向リンク端部（３０；８０；１３０；３３０；６３０）の横幅と実質的に同じである、
ことを特徴とするモジュラーベルト（３００；３１０；４００；５００；６００）。
【請求項２】
前記ベルトモジュール（２０；７０；１２０；２２０；２６０；３２０；６２０）が、前記中間セクション（２２；７２；３２２）から前記第１方向に延びている１つ以上の内側リンク端部（７８；１２８；２２８；３２８；６２８）を、更に備えており、前記１つ以上の内側リンク端部（７８；１２８；２２８；３２８；６２８）は、前記外側リンク端部（２４；７４；１２４；３２４；６２４）の前記横開口（２５；７５）と同軸の横開口（７９）を、有している、
請求項１記載のモジュラーベルト（３００；３１０；４００；５００；６００）。
【請求項３】
前記リンクキャップ（２４０）が、前記ピボットロッド（２５５）と同軸であるように構成された一体化ロッドレット（２５０）を、更に備えている、
請求項１又は２に記載のモジュラーベルト（３００；３１０；４００；５００；６００）。
【請求項４】
前記リンクキャップ（４０；９０；２４０；３４０；５４０）の前記対応コネクタ（４２；９２；２４２；３４２）が、プラグコネクタである、
請求項１〜３のいずれか一つに記載のモジュラーベルト（３００；３１０；５００；６００）。
【請求項５】
前記リンクキャップ（１４０）の前記対応コネクタ（１４２）が、バヨネットコネクタである、
請求項１〜３のいずれか一つに記載のモジュラーベルト（４００）。
【請求項６】
前記ピボットロッド（１００；１５０；３５０）が、棒径を有しており、
前記ピボットロッド（１００；１５０；３５０）が、前記棒径より大きなリング径を有する保持リング（１０２；１５２；３５２）を、更に備えている、
請求項１〜５のいずれか一つに記載のモジュラーベルト（３００；３１０；４００；５００；６００）。
【請求項７】
前記リンクキャップ（４０；９０；１４０；２４０；３４０；５４０）が、前記外側リンク端部（２４；７４；１２４；３２４；６２４）の前記横開口（２５；７５）と同軸の横開口（４１；９１；３４１）を、有しており、
前記リンクキャップ（４０；９０；１４０；２４０；３４０；５４０）の前記横開口（４１；９１；３４１）が、前記ピボットロッド（１００；１５０；２５０；３５０）の前記リング径より小さい径を、有している、
請求項１〜６のいずれか一つに記載のモジュラーベルト（３００；３１０；４００；５００；６００）。
【請求項８】
前記リンクキャップ（４０；９０；１４０；２４０；３４０；５４０）が、前記ピボットロッド（１００；１５０；２５０；３５０）に当接するように構成されている、
請求項１〜７のいずれか一つに記載のモジュラーベルト（３００；３１０；４００；５００；６００）。
【請求項９】
前記リンクキャップ（４０；９０；１４０；２４０；３４０；５４０）が、他のベルト構成物から前記リンクキャップ（４０；９０；１４０；２４０；３４０；５４０）を区別するためのインジケータ（９３）を、更に備えている、
請求項１〜８のいずれか一つに記載のモジュラーベルト（３００；３１０；４００；５００；６００）。
【請求項１０】
前記インジケータ（９３）が、浮き彫り表面デザインである、
請求項９記載のモジュラーベルト（３００；３１０；４００；５００；６００）。
【請求項１１】
前記インジケータ（９３）が、印刷デザインである、
請求項９記載のモジュラーベルト（３００；３１０；４００；５００；６００）。
【請求項１２】
前記リンクキャップ（４０；９０；１４０；２４０；３４０；５４０）が、他のベルト構成物の色とは異なる色を有している、
請求項１〜１１のいずれか一つに記載のモジュラーベルト（３００；３１０；４００；５００；６００）。
【請求項１３】
前記リンクキャップ（４０；９０；１４０；２４０；３４０；５４０）が、前記外側リンク端部（２４；７４；１２４；３２４；６２４）の断面形状と実質的に同じ断面形状を、有している、
請求項１〜１２のいずれか一つに記載のモジュラーベルト（３００；３１０；４００；５００；６００）。
【請求項１４】
前記ベルトモジュール（２０；７０；１２０；２２０；２６０；３２０；６２０）が、複数の内側リンク端部（７８；１２８；２２８；３２８；６２８）と、複数の前記対向リンク端部（３０；８０；１３０；３３０；６３０）と、を備えている、
請求項２〜１３のいずれか一つに記載のモジュラーベルト（３００；３１０；４００；５００；６００）。
【請求項１５】
ベルトモジュールシステム（１０；６０）であって、
中間セクション（２２；７２；３２２）と外側リンク端部（２４；７４；１２４；３２４；６２４）と対向リンク端部（３０；８０；１３０；３３０；６３０）とを備えた、端部モジュール（２０；７０；１２０；２２０；３２０；６２０）と、
ピボットロッド（１００；１５０；２５０；３５０）が組み込まれた時に前記ピボットロッド（１００；１５０；２５０；３５０）が移動するのを防止するためのリンクキャップ（４０；９０；１４０；２４０；３４０；５４０）と、
を備えており、
前記外側リンク端部（２４；７４；１２４；３２４；６２４）は、前記中間セクション（２２；７２；３２２）から、ベルトの進行方向に対して平行な第１方向に、延びており、その中に画定された横開口（２５；７５）と、嵌合コネクタ（２６；７６；１２６；３２６）と、を有しており、
前記対向リンク端部（３０；８０；１３０；３３０；６３０）は、前記中間セクション（２２；７２；３２２）から、前記第１方向とは反対の第２方向に、延びており、隣のモジュール（２０；７０；１２０；２２０；２６０；３２０；６２０）のリンク端部に噛み合うように構成されており、その中に画定された横開口（８２）を有しており、
前記リンクキャップ（４０；９０；１４０；２４０；３４０；５４０）は、前記外側リンク端部（２４；７４；１２４；３２４；６２４）の前記嵌合コネクタ（２６；７６；１２６；３２６）と結合するように構成された対応コネクタ（４２；９２；１４２；２４２；３４２）を有しており、
中間セクションと、前記中間セクションから前記第１方向に延びている多数の第１リンク端部と、前記中間セクションから前記第２方向に延びている多数の第２リンク端部と、を備えた、中央モジュール（２６０）を、更に備えており、
前記第１リンク端部の各々は、前記中央モジュール（２６０）が前記端部モジュール（２２０）に当接した場合に前記外側リンク端部の前記横開口と整列するように構成された横開口を、有しており、
前記多数の第２リンク端部は、隣のモジュールの前記多数の第１リンク端部と噛み合うように構成されており、前記第２リンク端部の各々は、横開口を有しており、前記中央モジュールが前記端部モジュール（２２０）に当接した場合に前記対向リンク端部の前記横開口と整列するように構成されている、
ことを特徴とするベルトモジュールシステム（１０；６０）。
【請求項１６】
前記端部モジュール（２０；７０；１２０；２２０；３２０；６２０）が、前記中間セクション（２２；７２；３２２）から前記第１方向に延びている１つ以上の内側リンク端部（７８；１２８；２２８；３２８；６２８）と、前記外側リンク端部（２４；７４；１２４；３２４；６２４）の前記横開口（２５；７５）と同軸の横開口（７９）を有する１つ以上の内側リンク端部（７８；１２８；２２８；３２８；６２８）と、を更に備えている、
請求項１５記載のベルトモジュールシステム（１０；６０）。
【請求項１７】
前記リンクキャップ（２４０）は、前記リンクキャップ（２４０）が前記外側リンク端部（２４；７４；１２４；３２４；６２４）に取り付けられる場合に前記外側リンク端部（２４；７４；１２４；３２４；６２４）の前記横開口（２５；７５）を通して配置されるように構成された、一体化ロッドレット（２５０）を、更に備えている、
請求項１５又は１６に記載のベルトモジュールシステム（１０；６０）。
【請求項１８】
前記リンクキャップ（１４０）の前記対応コネクタ（１４２）が、バヨネットコネクタである、
請求項１５〜１７のいずれか一つに記載のベルトモジュールシステム（１０；６０）。
【請求項１９】
前記リンクキャップ（４０；９０；２４０；３４０；５４０）の前記対応コネクタ（４２；９２；２４２；３４２）が、プッシュ式コネクタである、
請求項１５〜１７のいずれか一つに記載のベルトモジュールシステム（１０；６０）。
【請求項２０】
前記リンクキャップ（４０；９０；１４０；２４０；３４０；５４０）が、前記外側リンク端部（２４；７４；１２４；３２４；６２４）の前記横開口（２５；７５）と同軸の横開口（４１；９１；３４１）を、有しており、前記リンクキャップ（４０；９０；１４０；２４０；３４０；５４０）の前記横開口（４１；９１；３４１）が、ピボットロッド（１００；１５０；３５０）の保持リング（１０２；１５２；３５２）と協働して前記ピボットロッド（１００；１５０；３５０）を保持するように構成されている、
請求項１５〜１９のいずれか一つに記載のベルトモジュールシステム（１０；６０）。
【請求項２１】
前記リンクキャップ（４０；９０；１４０；２４０；３４０；５４０）が、組み込まれた場合にピボットロッド（１００；１５０；２５０；３５０）に当接するように構成されている、
請求項１５〜２０のいずれか一つに記載のベルトモジュールシステム（１０；６０）。
【請求項２２】
前記リンクキャップ（４０；９０；１４０；２４０；３４０；５４０）が、他のベルト構成物から前記リンクキャップ（４０；９０；１４０；２４０；３４０；５４０）を区別するためのインジケータ（９３）を、更に備えている、
請求項１５〜２１のいずれか一つに記載のベルトモジュールシステム（１０；６０）。
【請求項２３】
前記インジケータ（９３）が、浮き彫り表面デザインである、
請求項２２記載のベルトモジュールシステム（１０；６０）。
【請求項２４】
前記インジケータ（９３）が、印刷デザインである、
請求項２２記載のベルトモジュールシステム（１０；６０）。
【請求項２５】
前記リンクキャップ（４０；９０；１４０；２４０；３４０；５４０）が、前記端部モジュール（２０；７０；１２０；２２０；３２０；６２０）の色とは異なる色を有している、
請求項１５〜２４のいずれか一つに記載のベルトモジュールシステム（１０；６０）。
【請求項２６】
前記リンクキャップ（４０；９０；１４０；２４０；３４０；５４０）が、前記外側リンク端部（２４；７４；１２４；３２４；６２４）の断面形状と実質的に同じ断面形状を、有している、
請求項１５〜２５のいずれか一つに記載のベルトモジュールシステム（１０；６０）。
【請求項２７】
前記外側リンク端部（２４；７４；１２４；３２４；６２４）が、前記対向リンク端部（３０；８０；１３０；３３０；６３０）の横幅より小さい横幅を、有している、
請求項１５〜２６のいずれか一つに記載のベルトモジュールシステム（１０；６０）。
【請求項２８】
前記リンクキャップ（４０；９０；１４０；２４０；３４０；５４０）が前記外側リンク端部（２４；７４；１２４；３２４；６２４）に取り付けられた場合、前記リンクキャップ（４０；９０；１４０；２４０；３４０；５４０）と前記外側リンク端部（２４；７４；１２４；３２４；６２４）との全横幅が、前記対向リンク端部（３０；８０；１３０；３３０；６３０）の横幅と実質的に同じである、
請求項２７記載のベルトモジュールシステム（１０；６０）。
【請求項２９】
前記端部モジュールが、複数の前記内側リンク端部（７８；１２８；２２８；３２８；６２８）と、複数の前記対向リンク端部（３０；８０；１３０；３３０；６３０）と、を備えている、
請求項１６〜２８のいずれか一つに記載のベルトモジュールシステム（１０；６０）。
【請求項３０】
モジュラーベルト（３００；３１０；４００；５００；６００）の組立方法であって、
前記モジュラーベルト（３００；３１０；４００；５００；６００）は、横開口（２５；７５；７９；８２）を備えたリンク端部を有するベルトモジュール（２０；７０；１２０；２２０；２６０；３２０；６２０）を備えており、前記ベルトモジュールは、列を形成しており、各列は、端部モジュール（２０；７０；１２０；２２０；３２０；６２０）を備えており、
ピボットロッド（１００；１５０；２５０；３５０）をリンクキャップ（４０；９０；１４０；２４０；３４０；５４０）に挿入してリンクキャップアッセンブリを形成するステップと、
これらのリンク端部の前記横開口が同軸上に整列するように、２つの隣接するベルトモジュール（２０；７０；１２０；２２０；２６０；３２０；６２０）の列のリンク端部を噛み合わせるステップと、
前記リンクキャップアッセンブリの前記ピボットロッド（１００；１５０；２５０；３５０）を、２つの隣接するベルトモジュール（２０；７０；１２０；２２０；２６０；３２０；６２０）の列の噛み合ったリンク端部の前記横開口に、通す、ステップと、
前記リンクキャップアッセンブリを、前記端部モジュールの嵌合コネクタ（２６；７６；１２６；３２６）と結合するように構成された前記リンクキャップ（４０；９０；１４０；２４０；３４０；５４０）のコネクタ（４２；９２；１４２；２４２；３４２）によって、２つの隣接するベルトモジュールの列の一つの前記端部モジュール（２０；７０；１２０；２２０；２６０；３２０；６２０）に、取り付けるステップと、
を備えていることを特徴とするモジュラーベルト（３００；３１０；４００；５００；６００）の組立方法。
【手続補正２】
【補正対象書類名】明細書
【補正対象項目名】０００５
【補正方法】変更
【補正の内容】
【０００５】
本発明は、独立請求項１のモジュラーベルト、独立請求項１５のベルトモジュールシステム、及び独立請求項３０のモジュラーベルトの組立方法を、提供することによって、上述の必要性を満たす。好ましい実施形態は、従属請求項から現れる。
【外国語明細書】
2019064833000001.pdf